(57)【要約】【課題】水平養生ネットの設置に費やす時間の短縮、不完全な養生状態を回避することによる安全性の向上が可能で、しかも簡単な構造であり安価でかつ少ない手間で製作でき大量生産が可能である。【解決手段】躯体２００の外面と足場１００との間に配置される水平養生ネット３００を取り付けるための水平養生ネット取付治具１であって、足場１００に取り付け可能な取付部２と、取付部２を固定した枠体３と、枠体３に設けた蓋材４とを有する。水平養生ネット取付治具１は、躯体２００の隅部外面と足場１００との間に配置される。枠体３または蓋材４に、水平養生ネット３００が取付可能である。蓋材４は水平養生ネット３００の幅の大きさに応じて交換可能である。【選択図】図１
0003118759.tif 000002
【実用新案登録請求の範囲】
【請求項１】
躯体の外面と足場との間に配置される水平養生ネットを取り付けるための水平養生ネット取付治具であって、
前記足場に取り付け可能な取付部と、
前記取付部を固定した枠体と、
前記枠体に設けた蓋材と、
を有ることを特徴とする水平養生ネット取付治具。
【請求項２】
前記躯体の隅部外面と前記足場との間に配置されることを特徴とする請求項１に記載の水平養生ネット取付治具。
【請求項３】
前記枠体または前記蓋材に、前記水平養生ネットが取付可能であることを特徴とする請求項１または請求項２に記載の水平養生ネット取付治具。
【請求項４】
前記蓋材は前記水平養生ネットの幅の大きさに応じて交換可能であることを特徴とする請求項１乃至請求項３のいずれか１項に記載の水平養生ネット取付治具。
【請求項５】
前記蓋材はメッシュであることを特徴とする請求項１乃至請求項４のいずれか１項に記載の水平養生ネット取付治具。
【請求項６】
前記蓋材はパンチングメタルプレートであることを特徴とする請求項１乃至請求項４のいずれか１項に記載の水平養生ネット取付治具。
【考案の詳細な説明】
【技術分野】
【０００１】
この考案は、躯体の外面と足場との間に配置される水平養生ネットを取り付けるための水平養生ネット取付治具に関するものである。
【背景技術】
【０００２】
従来から建築現場において、足場を外側から覆って工事の安全を図る養生ネットが使用されている。すなわち、外側面垂直養生ネットを設置し、さらに例えば、躯体と足場の隙間が所定以上の場合には、躯体面側垂直養生ネットを設置し、かつ躯体外面と足場との間には足場床ごとに水平養生ネットを設置し、飛来、落下を防止している。
【０００３】
通常、水平養生ネットは、足場にブラケットを取り付け、そのブラケットに結び付けたり、壁つなぎを利用して結び付けたりしている（特許文献１）。水平養生ネットをつなぎ合わせて使用するときには、隙間ができないように一部を二重に重ねて接続するか、また隙間ができないように縁網を平行に接続して使用している。
【特許文献１】特開２００２−１４７０２５号公報
【考案の開示】
【考案が解決しようとする課題】
【０００４】
しかしながら、水平養生ネットは通常、ネット規格品で所定長さのものであり、これに対して足場材も規格の長さで割り付けるため、長さを合わせにくく、水平養生ネットの端部に余分の部分がでる。
【０００５】
このため、水平養生ネットの余った部分は絡ませる、弛ませる等の納め方になり、見た目も悪い上、著しく安全性を損なうことにもなる。
【０００６】
特に、躯体の隅部である入墨や出墨にあたる部分では、水平養生ネットを留めることができないため、ネット同士を重ねてまたは引っ張って止めてあるだけで納まりが悪く、飛来、落下の防止機能を果たしていない。
【０００７】
さらに、作業の都合で部分的にめくったりずらしたりすると、部分のみの復旧では完全に元通りにはなりにくく、水平養生ネットを元通りの状態に復旧しようとすると手間と時間を要し、作業能率を低下させることとなる。
【０００８】
この考案はかかる点に鑑みてなされたもので、水平養生ネットの設置に費やす時間の短縮、不完全な養生状態を回避することによる安全性の向上が可能で、しかも簡単な構造であり安価でかつ少ない手間で製作でき大量生産が可能な水平養生ネット取付治具を提供することを目的としている。
【課題を解決するための手段】
【０００９】
前記課題を解決し、かつ目的を達成するために、この考案は、以下のように構成した。
【００１０】
請求項１に記載の考案は、躯体の外面と足場との間に配置される水平養生ネットを取り付けるための水平養生ネット取付治具であって、
前記足場に取り付け可能な取付部と、
前記取付部を固定した枠体と、
前記枠体に設けた蓋材と、
を有ることを特徴とする水平養生ネット取付治具である。
【００１１】
請求項２に記載の考案は、前記躯体の隅部外面と前記足場との間に配置されることを特徴とする請求項１に記載の水平養生ネット取付治具である。
【００１２】
請求項３に記載の考案は、前記枠体または前記蓋材に、前記水平養生ネットが取付可能であることを特徴とする請求項１または請求項２に記載の水平養生ネット取付治具である。
【００１３】
請求項４に記載の発明は、前記蓋材は前記水平養生ネットの幅の大きさに応じて交換可能であることを特徴とする請求項１乃至請求項３のいずれか１項に記載の水平養生ネット取付治具である。
【００１４】
請求項５に記載の考案は、前記蓋材はメッシュであることを特徴とする請求項１乃至請求項４のいずれか１項に記載の水平養生ネット取付治具である。
【００１５】
請求項６に記載の考案は、前記蓋材はパンチングメタルプレートであることを特徴とする請求項１乃至請求項４のいずれか１項に記載の水平養生ネット取付治具である。
【考案の効果】
【００１６】
前記構成により、この考案は、以下のような効果を有する。
【００１７】
請求項１に記載の考案では、水平養生ネット取付治具が躯体の外面と足場との間に配置され、この水平養生ネット取付治具に水平養生ネットを取り付けることで、水平養生ネットや足場材が規格品であっても水平養生ネット取付治具によって長さを合わせることができる。また、水平養生ネットの設置位置の自由度が高く、取り付けがスムーズに行え、作業の能率が向上し、水平養生ネットの設置に費やす時間の短縮することができる。しかも、水平養生ネット取付治具が簡単な構造であり、安価でかつ少ない手間で製作が可能なため、大量生産が可能である。
【００１８】
請求項２に記載の考案では、水平養生ネット取付治具が躯体の隅部外面と足場との間に位置することから、水平養生ネット取付治具によって飛来、落下を防止することができ、不完全な養生状態を回避することによる安全性の向上が可能である。
【００１９】
請求項３に記載の考案では、枠体または蓋材に、水平養生ネットを容易に取付可能であり、水平養生ネットの設置に費やす時間の短縮ができる。
【００２０】
請求項４に記載の考案では、蓋材を水平養生ネットの幅の大きさに応じて交換することで、簡単に種々の大きさの水平養生ネットに対応することができる。また、蓋材が作業中等に破損した場合等でも新たな蓋材と交換することで、長期的に継続使用可能である。
【００２１】
請求項５に記載の考案では、蓋材がメッシュであり、水平養生ネットの端部を容易にメッシュに取り付けることが可能である。また、蓋材をメッシュにすることにより水平養生ネット取付治具自体を軽量化することができ、水平養生ネット取付治具が持ち運び易くなり取付作業の能率を向上させることができる。
【００２２】
請求項６に記載の考案では、蓋材をパンチングメタルプレートにより簡単に作成することができる。また、水平養生ネット取付治具自体を軽量化することができ、水平養生ネット取付治具が持ち運び易くなり取付作業の能率を向上させることができる。
【考案を実施するための最良の形態】
【００２３】
以下、この考案の水平養生ネット取付治具の実施の形態について説明するが、この考案の実施の形態は、最も好ましい形態を示すものであり、この考案はこれに限定されない。
【００２４】
図１は水平養生ネット取付治具の設置位置を示す平面図、図２は水平養生ネット取付治具の設置位置を示す斜視図である。建築現場においては、足場１００を外側から覆って工事の安全を図る養生ネットが使用され、例えば、躯体２００と足場１００の隙間Ｇが所定以上の場合には、躯体２００の外面と足場１００との間には足場床ごとに水平養生ネット３００を設置し、飛来、落下を防止している。
【００２５】
この考案の水平養生ネット取付治具1は、躯体２００の外面と足場１００との間に配置される水平養生ネット３００を取り付けるためのものである。通常、水平養生ネット３００は、足場１００にブラケット１０１を取り付け、水平養生ネットをつなぎ合わせて使用するときには、隙間ができないように一部を二重に重ねて接続するか、また隙間ができないように縁網を平行に接続して使用している。
【００２６】
ところが、水平養生ネット３００は通常、ネット規格品で所定長さL10のものであり、これに対して足場材も規格の長さL20で割り付けるため、長さを合わせにくく、水平養生ネット３００の端部に余分の部分L30がでるが、この実施の形態では、水平養生ネット取付治具１を躯体２００の入墨２００ａや出墨２００ｂに設置し、この水平養生ネット取付治具１に水平養生ネット３００を取り付けている。
【００２７】
このように、水平養生ネット取付治具１が躯体２００の隅部外面と足場１００との間に位置することから、水平養生ネット３００を配置することが困難な場所でも水平養生ネット取付治具１によって飛来、落下を防止することができ、不完全な養生状態を回避することによる安全性の向上が可能である。また、水平養生ネット設置位置の自由度が高く、取り付けがスムーズに行え、作業の能率が向上し、水平養生ネット３００の設置に費やす時間の短縮することができる。また、ブラケット１０１に代えて水平養生ネット取付治具１を用いて水平養生ネット３００を取り付けてもよい。
【００２８】
次に、水平養生ネット取付治具１を、図３乃至図８に基づいて詳細に説明する。まず、
図３乃至図６に示す実施の形態について説明する。図３は水平養生ネット取付治具の平面図、図４は水平養生ネット取付治具の取り付け状態を示す斜視図、図５は水平養生ネットの取付状態を示す平面図、図６は蓋材を交換可能にした実施の形態を示す図である。
【００２９】
この考案の水平養生ネット取付治具１は、取付部２と、枠体３と、蓋材４とを有する。取付部２は、足場材等に取り付け可能であり、例えば単管１０や枠組み足場１００の適宜位置に締め付け固定可能なクランプ２０で構成される。枠体３と取付部２は溶接などにより固定されている。
【００３０】
枠体３は、例えば厚さD１が５ｍｍ程度、幅Ｌ1が３０ｍｍ程度のフラットバー３０を使用し、縦幅Ｗ１及び横幅Ｗ２が２７５ｍｍ程度の長さになるように折り曲げて加工することにより四角形状に作製する。枠体３を形成するフラットバー３０の厚さD１や幅Ｌ1は、作業所における取り扱いにも耐えうるものであれば、特に限定されない。また、枠体３の外寸法である縦幅Ｗ１と横幅Ｗ２は躯体２００の外面と足場１００との間の隙間Ｇが３００ｍｍ以上ある場合に水平養生ネット３００の設置されるため、ここでは２７５ｍｍとしているが、隙間Ｇに合わせればよいため特に限定しない。この実施の形態では、取付部２がクランプ２０で構成され、枠体３がフラットバー３０を使用してそれぞれ金属で形成されるから、枠体３の角部３ａと取付部２が溶接により固定されている。
【００３１】
蓋材４は、メッシュ４０であり、この実施の形態では金網の既製品のワイヤメッシュが用いられる。蓋材４のメッシュ４０は枠体３に溶接により固定され、単管は例えば直径４８．６ｍｍであり、メッシュ４０は単管が通り抜けて落下することを防ぐ目的で直径５ｍｍ〜５０ｍｍの範囲の寸法ものを使用している。
【００３２】
この実施の形態では、蓋材４がメッシュ４０であり、図５に示すように、水平養生ネット３００の端部３００ａを蓋材４のメッシュ４０の上に重ねて、水平養生ネット３００の端数がでる場合でも容易に結束紐などの部材４００にとってメッシュ４０や枠体３に取り付けることが可能である。また、蓋材４をメッシュ４０にすることにより水平養生ネット取付治具自体を軽量化することができ、水平養生ネット取付治具１が持ち運び易くなり取付作業の能率を向上させることができる。
【００３３】
また、蓋材４は、図６に示すように、大きさの異なるメッシュ４０ａ、４０ｂを用い、枠体３のフラットバー３０に形成した凹み部３０ａにメッシュ４０ａまたはメッシュ４０ｂを係合し、固定プレート３１で押さえてビス３２で締め付け固定することができる。このように、水平養生ネット３００の幅の大きさに応じて大きさの異なるメッシュ４０ａ、４０ｂに交換することで、簡単に種々の大きさの水平養生ネット３００に対応することができる。また、蓋材４が作業中等に破損した場合等でも新たな蓋材４と交換することで、長期的に継続使用可能である。
【００３４】
また、蓋材４は、この実施の形態ではメッシュを使用するが、これに限定されずパンチングメタルプレート、または板材などを用いてもよい。蓋材４として、パンチングメタルプレート、または板材などを用いる場合でも、図７及び図８に示すように、水平養生ネット３００の幅の大きさに応じて交換可能にすることができるが、固定して交換不可能なものでもよい。
【００３５】
図７はパンチングメタルプレート４０ｃ、４０ｄの実施の形態を示し、大きさの異なるパンチングメタルプレート４０ｃ、４０ｄの取付孔40c1,40d1にビス４３を通して枠体３のフラットバー３０に締め付け固定して交換可能にし、簡単に種々の大きさの水平養生ネット３００に対応することができるようになっている。蓋材４をパンチングメタルプレート４０ｃ、４０ｄにより簡単に作成することができる。また、蓋材４をパンチングメタルプレート４０ｃ、４０ｄにすることにより水平養生ネット取付治具自体を軽量化することができ、水平養生ネット取付治具１が持ち運び易くなり取付作業の能率を向上させることができる。
【００３６】
図８は平板プレート４０ｅ、４０ｆの実施の形態を示し、大きさの異なる平板プレート４０ｅ、４０ｆの取付孔40e1,40f1にビス４４を通して枠体３のフラットバー３０に締め付け固定して交換可能にし、簡単に種々の大きさの水平養生ネット３００に対応することができるようになっている。
【００３７】
このように、図１乃至図８に示す水平養生ネット取付治具１は、簡単な構造であり、安価でかつ少ない手間で製作ができ、大量生産が可能である。
【産業上の利用可能性】
【００３８】
この考案は、躯体の外面と足場との間に配置される水平養生ネットを取り付けるための水平養生ネット取付治具に適用でき、水平養生ネットの設置に費やす時間の短縮、不完全な養生状態を回避することによる安全性の向上が可能で、しかも簡単な構造であり安価でかつ少ない手間で製作でき大量生産が可能である。
【図面の簡単な説明】
【００３９】
【図１】水平養生ネット取付治具の設置位置を示す平面図である。
【図２】水平養生ネット取付治具の設置位置を示す斜視図である。
【図３】水平養生ネット取付治具の平面図である。
【図４】水平養生ネット取付治具の取り付け状態を示す斜視図である。
【図５】水平養生ネットの取付状態を示す平面図である。
【図６】蓋材を交換可能にした実施の形態を示す図である。
【図７】パンチングメタルプレートの実施の形態を示す図である。
【図８】平板プレートの実施の形態を示す図である。
【符号の説明】
【００４０】
１        水平養生ネット取付治具
２        取付部
３        枠体
４        蓋材
１００    足場
２００    躯体
２００ａ  躯体２００の入墨
２００ｂ  躯体２００の出墨
３００    水平養生ネット
【図１】
0003118759.tif 000003
【図２】
0003118759.tif 000004
【図３】
0003118759.tif 000005
【図４】
0003118759.tif 000006
【図５】
0003118759.tif 000007
【図６】
0003118759.tif 000008
【図７】
0003118759.tif 000009
【図８】
0003118759.tif 000010